(57)【要約】【課題】  レーザ光入射面を同一とする書き換え型の２層ディスクにおいて、レーザ光入射面に近い側にあるL0ディスク、レーザ光入射面から遠い側にあるL1ディスクの記録再生特性をほぼ等しくする。【解決手段】  レーザ光源側のL0ディスクを形成するための第一の支持基板１における案内溝幅と案内溝間の平坦部幅との比をWG0/WL0、レーザ光源と反対側のL1ディスクを形成するための第二の支持基板２における案内溝幅と案内溝間の平坦部幅との比をWG1/WL1として、WG1/WL1> WG0/WL0を満足するようにする。【選択図】  図２
2004327007.tif 000002
【特許請求の範囲】
【請求項１】
レーザ光照射により記録膜の光学特性を変化させて情報の記録再生を行う光学的情報記録媒体であり、
前記レーザ光の入射面とは反対側の面に、幅ＷＧ０のグルーブと幅ＷＬ０のランドとが形成された、透明な第１の支持基板と、
前記第１の支持基板のグルーブ、ランドの少なくとも一方の上に形成された第１の情報記録層と、
を含む第１の部分記録媒体部と；
前記レーザ光の入射面に、幅ＷＧ１のグルーブと幅ＷＬ１のランドとが形成された第２の支持基板と、
前記第２の支持基板のグルーブ、ランドの少なくとも一方の上に形成された第２の情報記録層と、
を含む第２の部分記録媒体部と；
前記第１の部分記録媒体部の第１の情報記録層と前記第２の部分記録媒体部の第２の情報記録層との間に設けられた中間層と；
を含む情報記録媒体であり、
前記第１の支持基板及び第２の支持基板のランド及びグルーブは、（ＷＧ１/ＷＬ１）>（ＷＧ０/ＷＬ０）の関係を満足することを特徴とする光学的情報記録媒体。
【請求項２】
Ｒ＝（ＷＧ１／ＷＬ１）／（ＷＧ０／ＷＬ０）の値が、１＜Ｒ＜１．５を満足することを特徴とする請求項１記載の光学的情報記録媒体。
【請求項３】
前記ＷＧ１/ＷＬ１の値が1.1以上1.3以下、前記ＷＧ０/ＷＬ０の値が0.9以上1.1以下であることを特徴とする請求項２に記載の光学的情報記録媒体。
【請求項４】
前記第一の支持基板と前記第二の支持基板との間に、厚さ15μｍ以上40μｍ以下の光学的に透明な中間層を具備したことを特徴とする請求項１乃至請求項３のいずれかに記載の光学的情報記録媒体。
【請求項５】
波長が略405 nmのレーザ光により情報の記録再生が行われる光学的情報記録媒体であって、前記第一の支持基板および前記第二の支持基板の厚さがそれぞれ0.4 mm以上1.0mm以下であることを特徴とする請求項１乃至４のいずれかに記載の光学的情報記録媒体。
【請求項６】
２枚の請求項１乃至６のいずれかに記載の光学的情報記録媒体が前記第二の支持基板同士が貼り合わされる態様にて合体されていることを特徴とする光学的情報記録媒体。
【請求項７】
レーザ光照射により記録膜の光学特性を変化させて情報の記録再生を行う光学的情報記録媒体であり、
前記レーザ光の入射面とは反対側の面に、幅ＷＧ０のグルーブと幅ＷＬ０のランドとが形成された、透明な第１の支持基板と、
前記第１の支持基板のグルーブ、ランドの少なくとも一方の上に形成された第１の情報記録層と、
を含む第１の部分記録媒体部と；
前記レーザ光の入射面に、幅ＷＧ１のグルーブと幅ＷＬ１のランドとが形成された第２の支持基板と、
前記第２の支持基板のグルーブ、ランドの少なくとも一方の上に形成された第２の情報記録層と、
を含む第２の部分記録媒体部と；
前記第１の部分記録媒体部の第１の情報記録層と前記第２の部分記録媒体部の第２の情報記録層との間に設けられた中間層と；
を含む情報記録媒体であり、
前記第１の支持基板及び第２の支持基板のランド及びグルーブは、（ＷＧ１/ＷＬ１）>（ＷＧ０/ＷＬ０）の関係を満足する光学的情報記録媒体であり、
前記第一の支持基板のグルーブおよびランドの両方に設けられた第１の記録層、かつ、前記第二の支持基板のグルーブおよびランドの両方に記録を行うための光ヘッドおよびこの光ヘッドの駆動機構を備えることを特徴とする光学的情報記録再生装置。
【請求項８】
レーザ光照射により記録膜の光学特性を変化させて情報の記録再生を行う光学的情報記録媒体であり、
前記レーザ光の入射面とは反対側の面に、幅ＷＧ０のグルーブと幅ＷＬ０のランドとが形成された、透明な第１の支持基板と、
前記第１の支持基板のグルーブ、ランドの少なくとも一方の上に形成された第１の情報記録層と、
を含む第１の部分記録媒体部と；
前記レーザ光の入射面に、幅ＷＧ１のグルーブと幅ＷＬ１のランドとが形成された第２の支持基板と、
前記第２の支持基板のグルーブ、ランドの少なくとも一方の上に形成された第２の情報記録層と、
を含む第２の部分記録媒体部と；
前記第１の部分記録媒体部の第１の情報記録層と前記第２の部分記録媒体部の第２の情報記録層との間に設けられた中間層と；
を含む情報記録媒体であり、
前記第１の支持基板及び第２の支持基板のランド及びグルーブは、（ＷＧ１/ＷＬ１）>（ＷＧ０/ＷＬ０）の関係を満足する光学的情報記録媒体であり、
前記第一の支持基板の案内溝部および前記第二の支持基板の案内溝間の平坦部に記録を行うための光ヘッドおよびこの光ヘッドの駆動機構を備えることを特徴とする光学的情報記録再生装置。
【請求項９】
レーザ光照射により記録膜の光学特性を変化させて情報の記録再生を行う光学的情報記録媒体であり、
前記レーザ光の入射面とは反対側の面に、幅ＷＧ０のグルーブと幅ＷＬ０のランドとが形成された、透明な第１の支持基板と、
前記第１の支持基板のグルーブ、ランドの少なくとも一方の上に形成された第１の情報記録層と、
を含む第１の部分記録媒体部と；
前記レーザ光の入射面に、幅ＷＧ１のグルーブと幅ＷＬ１のランドとが形成された第２の支持基板と、
前記第２の支持基板のグルーブ、ランドの少なくとも一方の上に形成された第２の情報記録層と、
を含む第２の部分記録媒体部と；
前記第１の部分記録媒体部の第１の情報記録層と前記第２の部分記録媒体部の第２の情報記録層との間に設けられた中間層と；
を含む情報記録媒体であり、
前記第１の支持基板及び第２の支持基板のランド及びグルーブは、（ＷＧ１/ＷＬ１）>（ＷＧ０/ＷＬ０）の関係を満足する光学的情報記録媒体であり、
前記第一の支持基板のランドおよび前記第二の支持基板のグルーブに記録を行うための光ヘッドおよびこの光ヘッドの駆動機構を備えることを特徴とする光学的情報記録再生装置。
【請求項１０】
前記光ヘッドの発するレーザ光の波長が390nm以上430nm以下であることを特徴とする請求項７乃至９のいずれかに記載の光学的情報記録再生装置。
【発明の詳細な説明】
【技術分野】
【０００１】
本発明は、レーザ光照射により記録膜の光学特性を変化させて情報の記録再生を行う光学的情報記録媒体および光学的情報記録再生装置に関し、特に、同一のレーザ光入射面側から複数の記録膜に対して情報の記録再生を行うが可能な多層光ディスクおよびそれを用いた光学的情報記録再生装置に関する。
【背景技術】
【０００２】
光磁気ディスク、相変化光ディスクなどの書き換え可能な光ディスクでは、記録膜にレーザ光を照射し、記録膜の光学特性（磁気光学特性、反射率、光学的位相等）を変化させることにより情報の記録再生が行われる。
光ディスクの記録容量改善手法として、近年、信号処理技術の適用や、基板のトラッキング用の案内溝内および案内溝間の両方に記録を行うランド・グルーブ記録、あるいは、光学的な回折限界よりも微小なマークの再生を可能とする超解像再生などが試みられている(前者については例えば特許文献１、後者については例えば特許文献２参照)。それらの技術の中で、レーザ入射面を同一としたまま、記録面の数を増やす多層ディスク、特に、記録膜を２層用いる２層ディスクは、ディスクあたりの容量を大幅に増大させることができることから、精力的に研究・開発が進められている(例えば、特許文献３参照)。２層ディスクでは、単純には単層ディスクに比べて容量を最大２倍にまで増大できる可能性がある。実際、赤色の半導体レーザを用いたDVD-ROMでは、単層4.7 GB、２層では約２倍の9 GBのディスクが商品化されている。
【０００３】
従来のレーザ入射面を同一とする2層ディスクを図６に示す。図６に示すように、入射面に近い側の、第一の支持基板１上に情報記録層３が形成されたディスクをL0ディスク、入射面から遠い側の、第二の支持基板２上に情報記録層４が形成されたディスクをL1ディスクと定義すると、L1ディスクに記録された情報を再生するためには、L0ディスクが情報の再生に使用される半導体レーザに対して、一定の透過率を有する必要がある。L0ディスクの透過率をT0、L1ディスク単体での反射率をR1とすると、２層ディスクにおいてL1ディスクを再生する際のL1ディスクの実効的な反射率はT02×R1に低下してしまう。仮に、T0を0.3（30%）とすると、L1ディスクの実効的な反射率はL1ディスク単体での反射率の9%以下にまで低下してしまう。L1ディスクの実効的な反射率を確保するために、L0ディスクの透過率は0.5(50%)程度は必要である。L0ディスクの透過率を高めすぎると、L0ディスクの反射率が低下し、L0ディスクに記録された信号の品質が劣化するので、L0、L1両方について十分な特性を確保するには、L0の透過率として0.5程度が望ましい。このため、L0ディスクには反射膜は形成されないか、形成されたとしても10-20 nmと非常に薄い反射膜が形成されることになる。反射膜材料としては、Ag, Au, Cu, Al, Ti等の金属が一般的である。
【０００４】
一方、L1ディスクには、透過率に関する制約は課せられないので、通常の書き換え型の光ディスクと同様に、厚さ100-200 nm程度の十分に厚い反射膜を形成することが可能である。用いられる反射膜材料は、L0ディスクの場合と同様である。
なお、従来例においては、L0ディスク、L1ディスクのいずれにおいても、案内溝と案内溝間の平坦部の幅はほぼ同等になされていた。すなわち、L0ディスクの案内溝幅をＷＧ０、平坦部幅をＷＬ０とし、L1ディスクの案内溝幅をＷＧ１、平坦部幅をＷＬ１として、ＷＧ０≒ＷＬ０≒ＷＧ１≒ＷＬ１が成立するようになされていた。
【特許文献１】特開2000-76681号公報
【特許文献２】特開2002-8280号公報
【特許文献３】特開2003-16648号公報
【発明の開示】
【発明が解決しようとする課題】
【０００５】
２層ディスクの作成手順は通常次の通りである。L0ディスクにおいては、第一の支持基板１上に誘電体膜、記録膜、誘電体膜、極薄の反射膜をこの順にスパッタリング等により成膜して情報記録層３を形成する。また、L1ディスクにおいては、第二の支持基板２上に反射膜、誘電体膜、記録膜、誘電体膜をこの順にスパッタリング等により成膜して情報記録層４を形成する。成膜終了後、L0ディスクおよびL1ディスクを紫外線硬化樹脂あるいは粘着テープなどの光学的に透明な中間層(図示なし)により貼り合わせることで、図６に示すような２層ディスクが作成される。L0,L1 では記録膜が成膜されるまでの手順が異なるため、すなわち、L0では誘電体膜が成膜された後に記録膜が成膜されるのに対して、L1では厚い反射膜、誘電体膜が成膜された後に記録膜が成膜されることになるため、記録再生特性がL0、L1で大きく異なるという問題が生じていた。
本願発明の課題は上述した従来例の問題点を解決することであって、その目的は、多層ディスク、特に、書き換え型の２層ディスクにおいて、L0ディスク、L1ディスクの記録再生特性をほぼ等しくすることである。
【課題を解決するための手段】
【０００６】
上記課題を解決するために、本発明は、レーザ光照射により記録膜の光学特性を変化させて情報の記録再生を行う光学的情報記録媒体であって、レーザ光入射面を同一として２層の記録膜を具備し、レーザ入射面に近い側の記録膜を具備した第一の支持基板に形成された案内溝の幅をＷＧ０、案内溝間の平坦部の幅をＷＬ０、レーザ入射面から遠い側の記録膜を具備した第二の支持基板に形成された案内溝の幅をＷＧ１、案内溝間の平坦部の幅をＷＬ１として、(ＷＧ１/ＷＬ１)>(ＷＧ０)/(ＷＬ０)の関係を満足することを特徴とする。ここで、案内溝が垂直に掘られておらず、案内溝、平坦部の断面形状が台形状に形成されている場合には、斜面の中間点間距離をもって案内溝幅、平坦部幅とするものとする。また、前記第一の支持基板および前記第二の支持基板の厚さがそれぞれ0.4 mm以上1.0mm以下であることを特徴とする。さらに、前記ＷＧ１/ＷＬ１の値が1.1以上1.3以下、前記ＷＧ０/ＷＬ０の値が0.9以上1.1以下であることを特徴とし、また、前記第一の支持基板と前記第二の支持基板との間に、厚さ15μｍ以上40μｍ以下の光学的に透明な中間層を具備したことを特徴とする。
【０００７】
また、本発明は、上記光学的情報記録媒体を用いて情報の記録再生を行う光学的情報記録再生装置であって、前記第一の支持基板の案内溝部および案内溝間の平坦部の両方、かつ、前記第二の支持基板の案内溝部および案内溝間の平坦部の両方に記録を行うことを特徴とする。また、本発明に係る光学的情報記録再生装置は、上記光学的情報記録媒体を用いて、前記第一の支持基板の案内溝部および前記第二の支持基板の案内溝間の平坦部に記録を行うことを特徴とする。
【発明の効果】
【０００８】
本発明者は、L0、L1ディスクの記録再生特性を等しくするべく鋭意検討した結果、L1ディスクの案内溝幅を広くすることが効果的であることを見出した。第一の支持基板における案内溝と平坦部の幅の比ＷＧ０/ＷＬ０を1とし、第二の支持基板における案内溝と平坦部の幅の比ＷＧ１/ＷＬ１を変化させた２層ディスクを作成し、再生光量とＷＧ１/ＷＬ１との関係を調べた結果を図１に示す。図１では、L0、L1いずれのディスクにおいても、支持基板に形成された案内溝部にレーザ光を集光した場合をGroove、案内溝間の平坦部にレーザ光を集光した場合をLandと定義し、LandあるいはGrooveを再生した場合の反射光量（再生光量）を示してある。図１から分かるように、L1ディスクの反射光量とL0ディスクの反射光量とがほぼ等しくなるのは、ＷＧ１/ＷＬ１がＷＧ０/ＷＬ０より大きい場合（略１．２倍）である。
【０００９】
したがって、L1ディスクの案内溝幅をL0ディスクの平坦部幅より広くした光学的情報記録媒体用いることにより、レーザ入射面を同一とした２層ディスクにおいて、各層の記録再生特性を等しくすることが可能である。よって、本発明によれば、信頼性の高い、高品質の記録再生が可能になる。
【発明を実施するための最良の形態】
【００１０】
図２(ａ)、(ｂ)に本発明に係る光ディスク媒体の構成の断面図を示す。図２(ａ)は、基板のみの、図２(ｂ)は、基板上に情報記録層３、４を形成して両基板を接着した状態を示す。基板としては、ポリカーボネート（PC）基板やガラス基板を用いることができる。基板には、情報の記録再生を行うレーザ光のトラッキング用の案内溝が通常形成されている。L0ディスクは、第一の基板１上に、誘電体膜３ａ、記録膜３ｂ、誘電体膜３ｃ、反射膜３ｄを順次積層した構成となっている。誘電体膜としては、SiN,SiO２,TaOx,Al２O３,AlN,ZnS-SiO２等やそれらの積層膜を用いることができる。記録膜３ｂには、GeSbTeやAgInSbTeに代表される相変化記録膜や、TbFeCoなどに代表される光磁気記録膜を用いることができる。L0ディスクの反射膜には、一定の透過率が要求されるため、膜厚10nm前後のAg, Au, Cu, Al, Ti等の金属が用いられるのが一般的である。必要に応じて、ディスクの機械特性向上や耐久性向上のために、反射膜上にさらに誘電体膜を付加しても良い。２層ディスクでは、レーザ光の入射面は一つであるため、L1ディスクの構成は、第二の基板２上に、反射膜４ｄ、誘電体膜４ｃ、記録膜４ｂ、誘電体膜４ａを順次積層した構成となっている。L1ディスクに使用される誘電体膜、記録膜は、L0ディスクと同様の材料を用いることが可能である。L1ディスクの反射膜には一定の透過率は要求されないため、通常のディスク(DVD-RAMあるいはDVD-RW等)で良く用いられている膜厚100-200 nm程度のAg, Au, Cu, Al, Ti等を主成分とする金属膜を用いれば良い。
【００１１】
L0ディスク、L1ディスクを各々スパッタリング法などにより作成した後、中間層５となる光学的に透明な紫外線硬化樹脂あるいはテープ等を用いて両ディスクを貼りあわせることで２層ディスクの形態となる。中間層５の膜厚は、１５μｍ以上、４０μｍ以下とするのが望ましい。
【００１２】
図３は、本発明に係る光学的情報記録再生装置の概略の構成を示す図である。光ディスク11は、本発明に係る情報記録媒体であってレーザ光入射面を同一とした二層の光学的情報記録媒体である。レーザ駆動回路１６によって駆動される半導体レーザを有する光ヘッド１２により光学情報の記録再生が行われる。受光素子部１３には、フォトダイオードが備えられており、その出力信号を用いてトラッキング制御信号形成回路１４では例えばPush-pull方式によりトラッキング制御信号が形成される。また、フォトダイオードの出力信号を用いてフォーカス制御信号形成回路１５では例えばナイフエッジ方式によりフォーカシング制御信号が形成される。光ディスク１１のフォーカシングされる情報記録層が切り替わるときには、図示されない制御装置からフォーカス制御信号形成回路１５宛てにフォーカスジャンプ信号が発せられ、フォーカス制御信号形成回路１５からの信号により光ヘッド１２のフォーカスジャンプが行われる。
主ビームの反射光はまた受光素子部１３内のフォトダイオードにて電気信号に変換された後再生回路１７へ伝達され光ディスク１１に記録された情報の読み出しに用いられる。
［実施例］
次に、本発明の好ましい実施例について説明する。
【実施例１】
【００１３】
第一の支持基板および第二の支持基板とも厚さ0.6 mmのPC基板を用いて、２層ディスクを作成し、記録再生評価を行った。第一の支持基板および第二の支持基板においてＷＧ０/ＷＬ０、ＷＧ１/ＷＬ１の値を変化させて案内溝を形成し、記録再生特性を測定した。なお、案内溝のピッチおよび深さはL0,L1ディスクともに0.7μｍ、43 nmとした。L0ディスクの構成は、PC/ZnS-SiO２/GeSbTe/ZnS-SiO２/Ag、L1ディスクの構成は、PC/Ag/ZnS-SiO２/GeSbTe/ZnS-SiO２とし、厚さ20μｍの紫外線硬化樹脂により貼り合わせを行って２層ディスクを作成した。
上記２層ディスクに対して、波長405 nm、NA=0.65の光ヘッドを用いて、案内溝内部（Groove）および案内溝間の平坦部（Land）の両方に記録を行った。線速5.6 m/sでディスクを回転させ、クロック周波数を66 MHz (T=15.15 ns)とし、8T信号をLand およびGrooveに記録して8T 信号のC/Nを測定した。
【００１４】
表１に溝幅と平坦部の幅の比とC/Nの関係をまとめる。表１から、LandとGrooveのC/Nがほぼ等しくなる（同一であることが望ましいが、1-2 dB程度の差に収まっていれば実用上問題はない）のは、L0に対しては、0.9≦ＷＧ０/ＷＬ０≦1.1、L1に対しては、1.1≦ＷＧ１/ＷＬ１≦1.3の場合であり、いずれの場合でも、ＷＧ１/ＷＬ１の方がＷＧ０/ＷＬ０より大きい値であることが分かる。
【００１５】
【表１】
2004327007.tif 000003
L0, L1ディスクのC/N（単位：dB）
【実施例２】
【００１６】
第一の支持基板および第二の支持基板とも厚さ0.6 mmのPC基板を用いて、２層ディスクを作成し、記録再生の評価を行った。第一の支持基板および第二の支持基板においてＷＧ０/ＷＬ０、ＷＧ１/ＷＬ１の値を変化させて案内溝を形成し、記録再生特性を測定した。なお、案内溝のピッチおよび深さはL0,L1ディスクともに0.4μｍ、30 nmとした。L0ディスクの構成は、PC/ZnS-SiO２/GeSbTe/ZnS-SiO２/Ag、L1ディスクの構成は、PC/Ag/ZnS-SiO２/GeSbTe/ZnS-SiO２とし、厚さ20μｍの紫外線硬化樹脂により貼り合わせを行って２層ディスクを作成した。
【００１７】
上記２層ディスクに対して、波長405 nm、NA=0.65の光ヘッドを用いて、L0については案内溝内部（Groove）に、また、L1については案内溝間の平坦部（Land）に記録を行った。ここで、L1のLandに記録を行ったのは、L0のGrooveとL1のLandは光学的に等価（レーザ光入射面に近い側に位置しており）であり、トラックサーボ引き込みの極性が同一であるためである。２層ディスクについてLandあるいはGrooveのいずれかのみに記録を行う場合、L0ディスクとL1ディスクでサーボ引き込みの極性を変化させるのは煩雑であるので、L0のGrooveおよびL1のLandあるいはL0のLandおよびL1のGrooveに記録を行うのが簡便である。本実施例では、L0のGrooveおよびL1のLandに対して記録を行った。
【００１８】
線速5.6 m/sでディスクを回転させ、クロック周波数を66MHz (T=15.15 ns)とし、8T信号をL0のGrooveおよびL1のLandに記録して8T 信号のC/Nを測定した。
図４に溝幅と平坦部の幅の比とC/Nの関係をまとめる。図４から、L0のC/NとL1のC/Nがほぼ等しくなるのは、ＷＧ１/ＷＬ１の方がＷＧ０/ＷＬ０より大きい場合であることが分かる。特に、ＷＧ１/ＷＬ１がＷＧ０/ＷＬ０の凡そ1.2倍の時にL0のC/NとL1のC/Nがほぼ等しくなっていることが分かる。
溝幅の比としては、Ｒ＝（ＷＧ１／ＷＬ１）／（ＷＧ０／ＷＬ０）としてＲを定義すると、Ｒ＞１であることが望ましい。実施例１で述べたように（表１から分かるように）、ＷＧ０／ＷＬ０として好ましい下限の値は０．９であり、ＷＧ１／ＷＬ１のとして好ましい上限の値は１．３であることから、１＜Ｒ＜１．５の範囲が望ましく、図１や実施例２で述べたように１．２程度が特に好適である。 
【実施例３】
【００１９】
第一の支持基板および第二の支持基板とも厚さ0.6 mmのPC基板を用いて、２層ディスクを作成し、記録再生の評価を行った。第一の支持基板および第二の支持基板においてＷＧ０/ＷＬ０は0.9、ＷＧ１/ＷＬ１は1.1、案内溝のピッチおよび深さはL0,L1ディスクともに0.4μｍ、30 nmとした。L0ディスクの構成は、PC/ZnS-SiO２/GeSbTe/ZnS-SiO２/Ag、L1ディスクの構成は、PC/Ag/ZnS-SiO２/GeSbTe/ZnS-SiO２とし、紫外線硬化樹脂の厚さを変化させて２層ディスクを作成した。
【００２０】
上記２層ディスクに対して、波長405 nm、NA=0.65の光ヘッドを用いて、L0については案内溝内部（Groove）に、また、L1については案内溝間の平坦部（Land）に記録を行った。線速5.6 m/sでディスクを回転させ、クロック周波数を66MHz (T=15.15 ns)とし、8T信号をL0のGrooveおよびL1のLandに記録して8T 信号のC/Nを測定した。
図５に中間層の厚さとL0およびL1のC/Nの関係を示す。図５から、L0およびL1両ディスクにおいて良好なC/Nが得られるのは、中間層の厚さが15-40μｍの場合であることが分かる。
【００２１】
以上、本発明の好ましい実施の形態、実施例について説明したが、本発明はこれらの実施の形態、実施例に限定されるものではなく本発明の要旨を逸脱しない範囲内において適宜の変更が可能なものである。例えば、上記実施例では0.6 mm厚さの基板を用いた場合について説明したが、基板が薄すぎる場合にはディスクのチルト（傾き角）が大きくなって記録再生特性が劣化するため、薄すぎることなく、また、高密度記録に適した波長405 nm前後（390-430 nm程度）の光に対しては、基板での光吸収が無視できなくなり、基板が厚すぎる場合には光透過性が劣化してC/Nが低下するため、厚すぎることのない範囲内の適宜の寸法とすることができる。望ましい基板の厚さとしては概ね0.4 mm以上1.0 mm以下である。また、上記実施例では、書き換え型の記録膜を用いた場合について説明したが、記録膜としては、１回のみ記録が可能な追記型の記録膜を用いることも可能である。また、上記実施例では、基板上に形成された情報記録層同士を貼り合わせていたが、情報記録層上の有機または無機の保護膜を形成し保護膜同士を貼り合わせるようにしてもよい。さらに、本発明に係る２層光ディスクを第二の基板同士を貼り合わせる態様にて貼り合わせて４層の光ディスク媒体とすることもできる。また、上記実施例では、波長405nmのレーザ光を用いていたが、これ以外の波長のレーザを用いてもよく、例えば390 nm以上430 nm以下の波長のレーザを用いてもよい。
また、以上の説明、特に、実施例２以下の説明の置いては、ディスクＬ０のグルーブとディスクＬ１のランドへのみ記録を行う場合について説明した。しかしながら、本発明では、ディスクＬ０のランドとディスクＬ１のグルーブへのみ記録を行う場合にも有効であることは、例えば、表１に示した実験結果からも明らかである。また、サーボ引き込みの極性を変化させることを許容するのであれば、本発明では、ディスクＬ０，Ｌ１をともにランド・グルーブ双方への記録としてもよいことは明らかである。
【図面の簡単な説明】
【００２２】
【図１】２層ディスクにおいて溝幅と平坦部の幅の比と反射光量の関係を示す図である。
【図２】本発明に係る光学的情報記録媒体の構成の１例を示す断面図である。
【図３】本発明に係る光学的情報記録再生装置の１例を示す概略構成図である。
【図４】２層ディスクにおいて溝幅と平坦部の幅の比とC/Nの関係を示す図である。
【図５】２層ディスクにおいて中間層厚さとC/Nの関係を示す図である。
【図６】従来の光学的情報記録媒体の構成を示す断面図である。
【符号の説明】
【００２３】
１  第一の支持基板
２  第二の支持基板
３、４  情報記録層
３ａ、３ｃ、４ａ、４ｃ  誘電体膜
３ｂ、４ｂ  記録膜
３ｄ、４ｄ  反射膜
５  中間層
１１  光ディスク
１２  光ヘッド
１３  光検出回路
１４  トラッキング制御信号形成回路
１５  フォーカス制御信号形成回路
１６  レーザ駆動回路
１７  再生回路
【図１】
2004327007.tif 000004
【図２】
2004327007.tif 000005
【図３】
2004327007.tif 000006
【図４】
2004327007.tif 000007
【図５】
2004327007.tif 000008
【図６】
2004327007.tif 000009
【手続補正書】
【提出日】平成16年3月29日(2004.3.29)
【手続補正１】
【補正対象書類名】明細書
【補正対象項目名】００１８
【補正方法】変更
【補正の内容】
【００１８】
線速5.6 m/sでディスクを回転させ、クロック周波数を66MHz (T=15.15 ns)とし、8T信号をL0のGrooveおよびL1のGrooveに記録して8T 信号のC/Nを測定した。
図４に溝幅と平坦部の幅の比とC/Nの関係をまとめる。図４から、L0のC/NとL1のC/Nがほぼ等しくなるのは、ＷＧ１/ＷＬ１の方がＷＧ０/ＷＬ０より大きい場合であることが分かる。特に、ＷＧ１/ＷＬ１がＷＧ０/ＷＬ０の凡そ1.2倍の時にL0のC/NとL1のC/Nがほぼ等しくなっていることが分かる。
溝幅の比としては、Ｒ＝（ＷＧ１／ＷＬ１）／（ＷＧ０／ＷＬ０）としてＲを定義すると、Ｒ＞１であることが望ましい。実施例１で述べたように（表１から分かるように）、ＷＧ０／ＷＬ０として好ましい下限の値は０．９であり、ＷＧ１／ＷＬ１のとして好ましい上限の値は１．３であることから、１＜Ｒ＜１．５の範囲が望ましく、図１や実施例２で述べたように１．２程度が特に好適である。